(57)【要約】【課題】状況に応じて重心位置を適宜微調整することが可能なスイングウェイトの提供を目的とした。【解決手段】本発明のスイングウェイトは、固定部と、支持軸と、錘と、を有し、グリップエンドに装着されるものであり、錘は支持軸の軸方向において任意の位置に移動させて固定することが可能である。【選択図】図４
2011235080.tif 000002
【特許請求の範囲】
【請求項１】
グリップと、グリップエンドからグリップ内に挿入・固定されて使用されるスイングウェイトと、を具備するスイングウェイト付グリップ構造体であって、
前記グリップの軸方向に延び、前記グリップの長さと略同一か又は前記グリップの長さ以上の長さを有する支持軸と、
前記支持軸に、前記支持軸の軸方向において移動可能でかつ任意の位置に固定可能に装着された錘と、
前記支持軸の一端側に設けられ、前記グリップエンドに設けられた差込口に差し込まれて固定される固定部であって、外径が前記差込口の開口径以上の大きさまで漸次拡大した拡径部と、前記差込口と係合可能な係合部と、前記拡径部と前記係合部との間に形成され、前記差込部の軸方向に対して略垂直な段差と、を有する差込部、を含む固定部と、
を有し、
前記差込部を前記差込口に差し込み、前記ウェイト接続部を前記段差に引っかけかつ前記係合部と前記差込口とを係合させることにより、前記ウェイト部を前記ウェイト接続部に略密着させた状態で前記グリップ部と前記固定部とを一体化することが可能であること、
を特徴とするスイングウェイト付グリップ構造体。
【請求項２】
前記支持軸に設けられた鍔状体を有すること、
を特徴とする請求項１に記載のスイングウェイト付グリップ構造体。
【請求項３】
前記鍔状体が弾性体によって構成されていること、
を特徴とする請求項２に記載のスイングウェイト付グリップ構造体。
【請求項４】
請求項１〜３のうちのいずれかに記載のスイングウェイト付グリップ構造体を具備するゴルフクラブ。
【発明の詳細な説明】
【技術分野】
【０００１】
本発明は、ゴルフクラブ等のグリップ構造体において使用されるスイングウェイトに関するものである。
【背景技術】
【０００２】
従来から、差し込みやビス止め等でスイングウェイト調整用の錘（おもり乃至はウェイト）をシャフトやグリップに対して固定したゴルフクラブが提供されており、具体的には、例えば、下記特許文献１〜特許文献３に開示されているようなスイングウェイトを備えたゴルフクラブが提供されている。
【０００３】
特許文献１に開示されているゴルフクラブは、ゴルフクラブのクラブヘッドのスイートスポット付近が欠落しており、クラブヘッドのスイートスポット付近が欠落しているゴルフクラブのグリップ側の先端から、グリップの軸線に対し、交差する方向に軸線を有するウェイトを装着した構成を有している。
【０００４】
また、特許文献２に開示されているゴルフクラブでは、クラブヘッドとシャフトを取り付けるために設けられたホーゼルにスイングウェイト調整用の錘が接着により取り付けられている。ここで採用されている錘は、円柱状の本体とフランジ部を有する形状とされており、本体をシャフト内に挿入するとともに、フランジ部をシャフトの端部とホーゼルの底面との間に挟み込むことにより錘がシャフトの先端側（クラブヘッド側）の位置に固定されている。
【０００５】
更に、特許文献３に開示されているゴルフクラブは、グリップの内部に設けられた区画に、ウェイト調整用の錘として機能する球状のウェイト材料を多数収容させることができる構成とされており、ウェイト材料の個数を調整することによりスイングウェイトを調整することができる。
【先行技術文献】
【特許文献】
【０００６】
【特許文献１】特開２００９−１３６６４１号公報
【特許文献２】実用新案登録第３０１８１３０号公報
【特許文献３】特開平５−２２０２４２号公報
【発明の概要】
【発明が解決しようとする課題】
【０００７】
ここで、一般的に、ゴルフ等の球体の打撃を伴うスポーツにおいて打球の強度を状況に応じた適切なものとするためには、スイング時にフォームを一定に維持しつつスイングスピード・強度を調整することが好ましいとされている。しかしながら、フォームを一定にしつつスイングスピード・強度を調整することは熟練を要し、一般的なプレーヤーにとって困難を伴うものである。
【０００８】
そのため、例えば上記特許文献１〜特許文献３において提案されているようなスイングウェイトを用いられるのではあるが、一旦取り付けるとその交換が煩雑であり、また、所定の位置にしか取り付けられず、スイングスピード・強度を容易かつ適切に調整可能とはいえなかった。即ち、スイングスピード・強度を容易かつ適切に調整可能なスイングウェイトが求められていた。
【０００９】
そこで、本発明は、状況に応じてスイングスピード・強度を容易かつ適切に調整可能なスイングウェイトの提供を目的とし、かかる課題を解決すべく本発明者が鋭意検討したところ、ゴルフクラブやラケット等における重心位置を状況に応じて適宜、長手方向に向けて変化させることができれば、一定のフォームを維持しつつスピード・強度の異なるスイングが可能であることを見出し、本発明を完成するに至った。
【００１０】
従来技術のゴルフクラブ等においては、上述したようなスイングスピードと重心位置との相関に着目し、重心位置をグリップの長手方向（軸方向）に向けて容易かつ適切に微調整可能であると共に重心位置を安定させることが可能なものが存在しておらず、スイングスピード・強度の調整に一定の熟練を要していた。
【００１１】
具体的には、上記特許文献１に記載のゴルフ練習用クラブでは、グリップ側の先端にウェイトを装着することは開示されているが、その装着位置を状況に応じて適宜軸方向に変更できない。また、上記特許文献２に記載のゴルフクラブのように、錘をホーゼルの内側に取り付けることとした場合、錘の交換や調整を容易に行えないばかりか、錘の取付位置を適宜調整するといったことも行えない。
【００１２】
更に、特許文献３に開示されているゴルフクラブでは、ウェイト材料をグリップ内に形成された区画内に収容する構造が採用されており、球状のウェイト材料の充填量が少ないとスイングに伴ってこの区画内において球状のウェイト材料が移動してしまい、重心の位置が不安定になる。また、ウェイト材料の充填量を少なくすることにより、スイング時の重心位置をクラブヘッド側に偏在させることは可能であるが、グリップエンド側に偏在させることは不可能である。
【００１３】
このように従来のゴルフクラブでは、重心位置を微調整することによりスイングスピードを調整するという技術的思想が存在しておらず、状況に応じて重心位置を適宜変更し安定させることが困難であり、よって、使用感も良くなかった。
【課題を解決するための手段】
【００１４】
上述した課題を解決すべく、本発明は、
グリップエンドからグリップ内に挿入・固定されて使用されるスイングウェイトであって、
前記グリップの軸方向に延びる支持軸と、
前記支持軸に、前記支持軸の軸方向において移動可能でかつ任意の位置に固定可能に装着された錘と、
前記支持軸の一端側に設けられ、前記グリップエンドに固定される固定部と、
を有すること、
を特徴とするスイングウェイトを提供する。
【００１５】
上記本発明のスイングウェイトは、前記支持軸の他端側に設けられた鍔状体を有することが好ましい。
【００１６】
また、上記本発明のスイングウェイトは、前記鍔状体が弾性体によって構成されているのが好ましい。
【００１７】
また、上記本発明のスイングウェイトは、前記支持軸の少なくとも一部に雄ネジ部が形成されており、前記錘の内部に雌ネジが形成されており、前記錘が前記支持軸に螺合することにより装着されていることが好ましい。
【００１８】
また、本発明のスイングウェイトは、前記錘が両端部に鍔状部分を有するものであることが好ましい。
【発明の効果】
【００１９】
本発明のスイングウェイトは、支持軸に対する錘の装着位置を変更することにより、所望の位置に重心が到来するようにウェイトバランスを調整することが可能となる。したがって、本発明のスイングウェイトによれば、状況やプレーヤーの都合に応じて重心位置を適宜変更し安定させることが容易となり、これをゴルフクラブやラケットに使用することにより、容易かつ的確にフォームを一定に維持しつつスイングスピード・強度を容易かつ適切に調整することが可能となる。
【００２０】
本発明のスイングウェイトは、前記支持軸の他端側に鍔状体が設けられているため、鍔状体が錘に対してストッパーとして機能し、錘が脱落するのを防止することができ、また、スイングの際等に、グリップの内壁やグリップ内部に延びているシャフトの内壁に鍔状体が接することにより、前記支持軸がシャフト内で過度に揺れ動いてウェイトバランスが不安定になり過ぎるのを抑制できる。
【００２１】
また、本発明のスイングウェイトは、鍔状体が弾性体によって構成されているため、スイングの際等に、グリップの内壁やグリップ内部に延びているシャフトの内壁に鍔状体が衝突することがあっても、衝突音や衝撃の発生を抑制することができる。
【００２２】
本発明のスイングウェイトは、支持軸に雄ネジ部に対して錘に形成された雌ネジを螺合させることにより支持軸に対して錘が装着されたものであるため、錘を支持軸を中心として回動させることにより、錘の位置を支持軸の長手方向に移動させることが可能である。また、錘が支持軸に対して螺合により装着されているため、スイングのためにグリップを振り動かしても、錘が脱落する等の不具合が発生しない。
【００２３】
本発明のスイングウェイトは、錘の両端部に鍔状部分が設けられているため、鉛板等の重量調整具を錘の重量調整（追加）用として取り付けた場合に、鍔状部分がストッパーとして機能し、重量調整具が錘から脱落するのを防止することができる。
【図面の簡単な説明】
【００２４】
【図１】本発明の一実施形態に係るスイングウェイトを備えたゴルフクラブ（パター）を模式的に示した正面図である。
【図２】本発明の一実施形態に係るスイングウェイトを示す正面図である。
【図３】（ａ）は図２に示すスイングウェイトにおいて採用されている錘を示す斜視図であり、（ｂ）は鍔状体を示す斜視図である。
【図４】図１に示すゴルフクラブのグリップ近傍の構造を示す断面図である。
【図５】（ａ）は図１に示すゴルフクラブの接続部を示す正面図であり、（ｂ）は図２に示すスイングウェイトをグリップエンドから挿入して取り付ける段階の状態を示す斜視図である。
【図６】（ａ）は錘の変形例を示す斜視図であり、（ｂ）は（ａ）に示す錘に重量付加部材を取り付けた状態を示す断面図である。
【発明を実施するための形態】
【００２５】
続いて、支持軸、錘及び固定部を必須構成要素として含む本発明のスイングウェイトの好ましい実施形態として、本発明のスイングウェイトを具備するゴルフクラブの実施形態を、図面を参照しながら詳細に説明する。
【００２６】
図１及び図４に示すように、ゴルフクラブ１０はパターであり、シャフト１２の先端側にクラブヘッド１４を取り付けられ、末端側に設けられたグリップ１６の端部（グリップエンド１８）側からグリップ１６の内側にスイングウェイト５０が挿入、固定されている。シャフト１２は、従来公知のものと同様に中空の軸体によって構成されており、クラブヘッド１４は、従来公知のパターと同様のものによって構成されている。
【００２７】
グリップ１６は、グリップ本体２０と、接続部２２とを有する。グリップ本体２０は、使用者により把持される中空で筒状の部分であり、一端側に設けられた開口部分からシャフト１２が挿通されている。グリップ本体２０は、天然ゴムや合成ゴム等のゴム類のようにゴム状弾性を有する高分子素材（エラストマー）によって形成されており、弾性を有する。
【００２８】
図５等に示すように、接続部２２は、グリップ１６のうちのグリップエンド１８に設けられており、径方向略中央に差込口２４を有し、その近傍に凹部２６を備えた円盤状（乃至は環状）の形状を有し、グリップ本体２０の末端部分を閉じている。
【００２９】
接続部２２のうちの差込口２４を有する円盤状部分２６は、上述したグリップ本体２０と同様にゴム状弾性を有する高分子素材（エラストマー）によって形成されており、グリップ本体２０よりも硬質とされている。そのため、円盤状部分２６は、グリップ本体２０よりも変形しにくく、差込口２４に後に詳述するスイングウェイト５０の固定部５２を堅固に保持することができる。
【００３０】
グリップ本体２０は、円盤状部分２６を予め形成しておき、円盤状部分２６を金型に挿入（インサート）し、これに射出成形によりグリップ１６を一体成形することにより形成される。差込口２４は、略円形の開口形状を有する孔によって構成されており、後に詳述するスイングウェイト５０の固定部５２をなす差込部５２ｂが差し込まれる部分である。もちろん、別部材としての円盤状部分２６を用いず、同一の材料でグリップ１６と接続部２２とを含むグリップ本体２０を一体的に成形してもよい。
【００３１】
図２及び図４に示すように、スイングウェイト５０は、本発明のスイングウェイトの必須構成要素である固定部５２、支持軸５４及び錘５６の他、鍔状体５８及びナット５９をを構成要素として備えた構成を有している。以下、これらの構成要素について説明する。
【００３２】
固定部５２は、グリップエンド１８に対してスイングウェイト５０を固定するためのものであり、略ディスク状端部５２ａと差込部５２ｂとを有し、差込部５２ｂの側方に凸部５２ｅが設けられている。略ディスク状端部５２ａは、グリップエンド１８の外径と略同一径のディスク状のものであり、表面が軸心位置に向かってなだらかに盛り上がるように湾曲し、裏面が平坦な形状とされている。
【００３３】
差込部５２ｂは、略ディスク状端部５２ａの裏面側の略中心において、略垂直に立設された軸状の部分である。図２及び図５等に示すように、差込部５２ｂは、さらに拡径部５２ｃと係合部５２ｄとに大別される。
【００３４】
拡径部５２ｃは、先端側から基端側（略ディスク状端部５２ａ側）に向かうに連れて外径が拡大するように形成されたテーパー状の部分を有する。拡径部５２ｃは、先端部分の外径が接続部２２に設けられた差込口２４の開口径よりも小さいが、軸方向中間部分を境として係合部５２ｄ側の部分が接続部２２に設けられた差込口２４の開口径よりも大きくなっている。そのため、先端部９４ａを差込口２４に差し込んだ状態において固定部５２を更に軸方向に押し込むと、接続部２２が弾性変形し、拡径部５２ｃによって差込口２４が押し広げられる。
【００３５】
係合部５２ｄは、差込部５２ｂの基端部、即ち拡径部５２ｃと略ディスク状端部５２ａの裏面との間に位置し、上述した接続部２２に設けられている差込口２４に係合する部分である。係合部５２ｄの外径は、上述した差込口２４の開口径と略同一あるいはそれ以上とされている。
【００３６】
このような構成から、差込部５２ｂは、拡径部５２ｃと係合部５２ｄとの境界部分を境として外径が大幅に変化しており、両者の間に段差が形成されており、この段差部分は、支持軸５４の軸方向に略垂直な方向に延びている。また、係合部５２ｄの軸方向の長さは、上述した接続部２２の肉厚と略同一とされている。
【００３７】
そのため、差込部５２ｂを差込口２４に押し込み、係合部５２ｄを差込口２４と係合させると、接続部２２に前述した段差が引っかかり、略ディスク状端部５２ａの裏面と接続部２２とが略密着した状態になる。これによってスイングウェイト５０は、固定部５２によってグリップ１６に確実に固定されることになる。
【００３８】
更に、係合部５２ｄが差込口２４に至るまで差込部５２ｂを押し込むと、拡径部５２ｃが差込口２４を通過している際に作用していた摩擦力が解除されて係合するため、係合の際に適度な節度感が得られ、スイングウェイト５０をしっかりと固定できたという感覚を使用者に与えることができる。また、本実施形態では、接続部２２がグリップ１６よりも硬質の材質によって形成されているため、スイングウェイト５０を接続した際の接続強度が高い。
【００３９】
凸部５２ｅは、上述したように差込部５２ｂの近傍に存在しており、略ディスク上端部５２ａの裏面側から突出した突起状の部分である。凸部５２ｅは、スイングウェイト５０をゴルフクラブ１０に装着した際にグリップエンド１８の接続部２２に設けられた凹部２６に嵌り込み、スイングウェイト５０が軸心周りに回転するのを防止するためのものである。
【００４０】
支持軸５４は、グリップエンド１８に形成された差込口２４から挿入され、後に詳述する錘５６を支持（固定）するための軸体である。支持軸５４は、略全体に亘って雄ネジ５４ａが形成されたネジ軸によって構成されている。スイングウェイト５０をグリップエンド１８に対して装着すると、支持軸５４はグリップ１６内部に延びているシャフト１２内において、直線状に延びた状態となる。
【００４１】
この支持軸５４は、種々の長さを有していてよいが、重心位置を状況に応じて適宜、長手方向に向けて変化させて、一定のフォームを維持しつつスピード・強度の異なるスイングをより確実に可能とするためには、例えばグリップ１６と略同一か又はそれよりも長いのが好ましい。
【００４２】
錘５６は、上述した支持軸５４に対して装着されるものであり、図３（ａ）に示すように中心に形成された貫通孔５６ａ内に雌ネジ５６ｂが形成されたナット状の構造とされている。錘５６は、雌ネジ５６ｂが支持軸５４に形成された雄ネジ５４ａと螺合することにより、支持軸５４に対して装着されている。
【００４３】
そのため、錘５６は、支持軸５４の軸心周りに回動させることにより、支持軸５４の軸方向に移動させ、任意の位置に固定することが可能である。本実施形態では、図２に示すように、錘５６が２つ支持軸５４に装着されている。
【００４４】
図２及び図３（ｂ）に示すように、鍔状体５４は、上述した支持軸５４の他端側、即ち固定部５２とは反対側に固定されている。鍔状体５４は、ゴム等のように可撓性及び弾性を有する素材によって形成されており、その外径の大きさはグリップ１６内部に延びているシャフトの内径と同一か又はそれ以上とされている。
【００４５】
そのため、グリップエンド１８側から鍔状体５８を先頭にしてスイングウェイト５０を差込口２４に差し込むと、差込口２４やシャフト１２の内径に合うように鍔状体５８が適宜変形し、シャフト１２の内壁面に略密接した状態になる。
【００４６】
したがって、固定部５２がグリップエンド１８に設けられた接続部２２に接続（固定）された状態にすると、図２に示すように固定部５２と鍔状体５８とによって支持軸５４の両端が支持された状態になり、スイング等に伴って振動が加わっても支持軸５４がシャフト１２内において過度に揺れ動いたり、グリップ１６の内壁面に支持軸５４や錘５６が衝突する等の問題が発生しない。
【００４７】
本実施形態のゴルフクラブ１０は、上述したスイングウェイト５０を適宜グリップ１６から取り外し、錘５６を支持軸５４を中心として回動させることにより、錘５６の位置をグリップ１６の軸方向（長手方向）に移動させて変更し、同一条件のスイングを行った際に作用する遠心力を調整することができる。
【００４８】
具体的には、錘５６を下側、即ちクラブヘッド１４側の位置に移動させ固定することにより、スイング時に作用する遠心力が大きくなり、スイング及び打球のスピード・強度を高めることができる。一方、錘５６を上側、即ちグリップエンド１８側の位置に移動させ固定することにより、スイング時に作用する遠心力を小さくし、打球の強度を弱めることができる。
【００４９】
したがって、例えばグリーン上におけるゴルフボールの転がり易さ（グリーンの速さ）等に応じて、スイングウェイト５０を用いてウェイトバランスを調整することにより、同一条件によるスイングを行った際のスイングスピード・強度を容易かつ的確に調整することができる。
【００５０】
本実施形態のスイングウェイト５０は、支持軸５４の他端側（クラブヘッド１４側）に鍔状体５８が、二つのナット５９に挟まれた状態で設けられており、これらが錘５６の脱落を防止するためのストッパーとして機能する。また、鍔状体５８が弾性体によって構成されているため、スイングに伴って振動が加わっても、グリップ１６やシャフト１２等と鍔状体５８との衝突音や、衝突に伴う衝撃が発生しにくい。
【００５１】
加えて、鍔状体５８の外径がグリップ１６内部のシャフト１２の内径以上であるため、スイングウェイト５０をグリップ１６及びシャフト１２内へ挿入する際に鍔状体５８がシャフト１２の内壁に沿うように弾性変形して当接した状態になる。これにより、支持軸５４が、固定部５２及び鍔状体５８によって両端支持された状態になり、スイングを行ってもスイングウェイト５０はグリップ１６内部のシャフト１２内において揺れ動かない。
【００５２】
したがって、ゴルフクラブ１０は、スイングのためにグリップ１６を動かした際に錘５６の揺れによって重心位置が微妙に変化したり、錘５６や支持軸５４とグリップ１６やシャフト等との衝突音が発生したりする等の不具合が起こらない。
【００５３】
本実施形態のスイングウェイト５０は、支持軸５４に形成された雄ネジ５４ａに対して錘５６の貫通孔５６ａ内に形成された雌ネジ５６ｂを螺合させることにより、支持軸５４に対して錘５６が装着されたものであり、錘５６を回動させることにより、錘５６の装着位置を移動させることができる。
【００５４】
また、雄ネジ５４ａ及び雌ネジ５６ｂのピッチが一定であるため、錘５６の回転量に応じて錘５６の軸方向への進行量を調整することができ、錘５６の取付位置を容易かつ正確に調整することができる。更に、螺合により支持軸５４に対して錘５６が装着されているため、スイングのためにグリップ１６部分を振り動かしても、錘５６が脱落する等の不具合が発生しない。
【００５５】
以上、本発明の代表的な実施形態について説明したが、特許請求の範囲に記載された本発明の技術的思想の範囲内で種々の設計変更が可能であり、それらは全て本発明に含まれるものである。
【００５６】
例えば、本実施形態では、固定部５２が図２等に示す特定の構造を有する場合について説明したが、本発明の特徴は支持軸５４において錘５２を移動させて重心位置を容易かつ適切に調整できることにあるため、固定部は錘を備えた支持軸をグリップエンドに固定できるものであればいかなる構成を有していてもよい。
【００５７】
また、上記実施形態においては錘５６が一つ設けられている例を例示したが、本発明はこれに限定される訳ではなく、錘５６は二つ以上あってもよい。また錘５７は種々の形状を有していてもよい。
【００５８】
また、上記実施形態では、支持軸５４がボルト状のものであり、錘５６がナット状のものである例を示したが、本発明はこれに限定されるものではなく、雄ネジ５４を備えていない支持軸５４に対してクリップ等の固定手段によって錘５６を取り付けた構成としてもよい。
【００５９】
また、上記実施形態におけるスイングウェイト５０は、錘５６に対して鉛板等を装着し、錘５６全体としての重量を調整可能なものとしてもよい。即ち、スイングウェイト５０は、錘５６の重量を付加するために鉛板等の重量付加部材を取付可能なものとしてもよい。これにより、スイングウェイトのコントロールの幅を広げることができる。
【００６０】
例えば図６に示すように、鉛板等の重量付加部材５６ｄを取付可能とする場合は、錘５６の上端側及び下端側に鍔状部分を設け、この間に重量付加部材５６ｄを取り付けることとしてもよい。このような構成とすることにより、重量付加部材５６ｄが脱落することを確実に防止することが可能となる。図６においては、鍔状部分の形状が略正六角形であるが、その他の多角形や略円形であってもよい。
【００６１】
また、スイングウェイト５０は、錘５６の取付位置を示す目盛等を備えていないものであったが、錘５６の取付位置を示す目盛や取付位置の概略を示す目印等を備えたものであってもよい。このような構成とすることにより、錘５６の取付位置を容易かつ正確に把握し、スイングスピードや打球の速度を状況に応じてより一層的確に調整することが可能となる。
【００６２】
本実施形態のゴルフクラブ１０はパターであったが、本発明はこれに限定されるものではなく、ドライバーやアイアン等他の種類のものであってもよい。
【００６３】
また、スイングウェイト５０の各構成要素は、種々の材料で構成することが可能であるが、一般的には、例えば、固定部５２を硬質樹脂等の合成樹脂で構成し、支持軸５４及び錘５６を金属で構成する。もっともこれに限定されるわけではなく、錘５６を金属で構成し、固定部５２及び支持軸５４を硬質樹脂等の合成樹脂で構成してもよい。
【産業上の利用可能性】
【００６４】
本発明のスイングウェイトは、ゴルフクラブやテニスラケット等、グリップを有する全ての物品に適用可能であり、本発明のスイングウェイトを具備する物品では、重心位置を容易かつ適切に調整することができることから、一定のスイングを行うことにより状況に応じたスイングスピードや打球の速度を得られる。
【符号の説明】
【００６５】
１０      ゴルフクラブ
１６      グリップ
１８      グリップエンド
５０      スイングウェイト
５２      固定部
５４      支持軸
５４ａ    雄ネジ
５６      錘
５６ｂ    雌ネジ
５６ｃ    鍔状部分
５８      鍔状体
【図１】
2011235080.tif 000003
【図２】
2011235080.tif 000004
【図３】
2011235080.tif 000005
【図４】
2011235080.tif 000006
【図５】
2011235080.tif 000007
【図６】
2011235080.tif 000008